(57)【要約】【課題】停電や電源異常によるエラーが発生して処理が途中で停止したカードを、エラー解除後に正常に発行し、カードロスを低減させることができるＩＤカード作成プリンタを提供する。【解決手段】ＩＤカード作成プリンタは、カード材料を、搬送部３１に沿って設けられた複数の処理手段２２〜２７に順次搬送して処理することにより、所定の情報がプリントされたＩＤカードを作成する。ＩＤカード作成プリンタは、電源エラー発生時、無停電電源装置４２から電力が供給される。制御部１２は、無停電電源装置４２から電源エラーの発生が通知されると、各処理手段での処理を続行するとともに、各処理手段での処理を終えたところで前記カード材料を待機させ、待機させているカード材料の位置に基づく未完成カード情報を記憶部１１に格納し、シャットダウン処理を行う。【選択図】図２
2014069313.tif 000002
【特許請求の範囲】
【請求項１】
カード材料を１枚ずつ繰り出す繰出部と、
前記繰出部から繰り出された前記カード材料を搬送する搬送部と、
前記搬送部に沿って設けられ、前記カード材料を順次処理して、所定の情報がプリントされたＩＤカードを作成する複数の処理手段と、
前記繰出部、前記搬送部、及び前記複数の処理手段を制御し、電源エラー発生時に無停電電源装置から電源エラーの発生が通知される制御部と、
前記所定の情報を記憶する記憶部と、
を備え、
電源エラー発生時、前記無停電電源装置から電力が供給され、
前記制御部は、前記無停電電源装置から電源エラーの発生が通知されると、各処理手段での処理を続行するとともに、各処理手段での処理を終えたところで前記カード材料を待機させ、待機させているカード材料の位置に基づく未完成カード情報を前記記憶部に格納し、シャットダウン処理を行うことを特徴とするＩＤカード作成プリンタ。
【請求項２】
前記制御部は、電源エラー解除時又は電源オン時に、前記記憶部に格納されている前記未完成カード情報に基づいて、待機中のカード材料に対する各処理手段での処理を再開することを特徴とする請求項１に記載のＩＤカード作成プリンタ。
【請求項３】
前記複数の処理手段は、
前記カード材料に顔画像及び文字情報を印字する印字部と、
前記カード材料に保護シートを形成する形成部と、
前記カード材料に設けられたＩＣチップに所定の情報を書き込む書き込み部と、
を有することを特徴とする請求項１又は２に記載のＩＤカード作成プリンタ。
【発明の詳細な説明】
【技術分野】
【０００１】
本発明はＩＤカード作成プリンタに関し、詳しくは、例えば会社の従業員証や図書館の入館証、その他各種の特定資格を証明するための資格証明証などの顔写真入りＩＤカードを作成するＩＤカード作成プリンタに関する。
【背景技術】
【０００２】
所謂ＩＤカード（Identification Card）の中でも、特定資格を証明するためのＩＤカードにおいては、本人の顔写真と共に、本人の住所、氏名、生年月日、個人識別番号（以下、ＩＤ番号という。）などのＩＤ情報（個人情報）を記録する形態とすることが多い。 
上記のようなＩＤカードの作成システムとしては、本人の顔画像をビデオカメラで撮影し、このビデオカメラで得られる顔画像データと、氏名、住所、ＩＤ番号等のＩＤ情報とをＩＤカードプリンタに出力し、該ＩＤカードプリンタでＩＤカードを作成させるものがある（特許文献１参照）。
【０００３】
従来のＩＤカードプリンタは複数のユニットで構成され、そのうちの一部ユニットで各種消耗品の残量不足やジャムなどのエラーが発生した場合、エラーが発生していないユニットではプリント処理を途中で停止させず、プリント処理を終えたところ、すなわちエラー解除後に動作可能な位置で待機させている。
【先行技術文献】
【特許文献】
【０００４】
【特許文献１】特許第４１６８１６５号公報
【発明の概要】
【発明が解決しようとする課題】
【０００５】
しかし、上述のような従来のＩＤカードプリンタは、電源オン状態でエラーが発生した場合のみを想定しており、停電や電源異常によるエラーが考慮されていない。停電や電源異常によるエラーが発生し、ＩＤカードプリンタが動作しなくなった場合、処理中のカードは印画異常となるおそれがある。
【０００６】
本発明は、このような課題を解決し得るＩＤカード作成プリンタを提供することを目的とする。
【課題を解決するための手段】
【０００７】
本発明の一態様によるＩＤカード作成プリンタは、カード材料を１枚ずつ繰り出す繰出部と、前記繰出部から繰り出された前記カード材料を搬送する搬送部と、前記搬送部に沿って設けられ、前記カード材料を順次処理して、所定の情報がプリントされたＩＤカードを作成する複数の処理手段と、前記繰出部、前記搬送部、及び前記複数の処理手段を制御し、電源エラー発生時に無停電電源装置から電源エラーの発生が通知される制御部と、前記所定の情報を記憶する記憶部と、を備え、電源エラー発生時、前記無停電電源装置から電力が供給され、前記制御部は、前記無停電電源装置から電源エラーの発生が通知されると、各処理手段での処理を続行するとともに、各処理手段での処理を終えたところで前記カード材料を待機させ、待機させているカード材料の位置に基づく未完成カード情報を前記記憶部に格納し、シャットダウン処理を行うことを特徴とする。
【０００８】
本発明の一態様によるＩＤカード作成プリンタは、前記制御部は、電源エラー解除時又は電源オン時に、前記記憶部に格納されている前記未完成カード情報に基づいて、待機中のカード材料に対する各処理手段での処理を再開することを特徴とする。
【０００９】
本発明の一態様によるＩＤカード作成プリンタは、前記複数の処理手段が、前記カード材料に顔画像及び文字情報を印字する印字部と、前記カード材料に保護シートを形成する形成部と、前記カード材料に設けられたＩＣチップに所定の情報を書き込む書き込み部と、を有することを特徴とする。
【発明の効果】
【００１０】
本発明によれば、停電や電源異常によるエラーが発生して処理が途中で停止したカードを、エラー解除後に正常に発行し、カードロスを低減させることができる。
【図面の簡単な説明】
【００１１】
【図１】ＩＤカードの一例を示す図である。
【図２】本実施形態によるＩＤカード作成プリンタの概略構成図である。
【図３】ＩＤカード作成処理の一例を示す図である。
【図４】シャットダウン準備処理の一例を示す図である。
【発明を実施するための形態】
【００１２】
本実施形態によるＩＤカード作成プリンタは、図１に示すようなＩＣチップ１ａを含むＩＤカード１の表面２に対して各個人の必要な文字情報２ａ及び顔画像情報２ｂを印字するとともに、ＩＣチップ１ａ内に文字情報２ａを書き込んで、例えば従業員証、入館証、資格証明証等のＩＤカードを作成するものである。ここで、文字情報２ａは、例えば個人の氏名、住所、ＩＤ番号等である。
【００１３】
図２は本実施形態によるＩＤカード作成プリンタの概略構成図である。図２に示すように、ＩＤカード作成プリンタは、ＩＤカードに印字、書き込みされる個人のＩＤ情報や顔画像情報を記憶する記憶部１１と、ＩＤカード１を積層して収納するとともに１枚ずつ繰り出すホッパ２１と、ホッパ２１からのＩＤカードを搬送する搬送ライン３１と、搬送ライン３１に沿って配置されＩＤカード１の表面２に顔画像情報２ｂを印字するＹ印刷部２２、Ｍ印刷部２３及びＣ印刷部２４と、を備えている。
【００１４】
記憶部１１に記憶されている顔画像情報は、デジタルカメラ等で撮影した顔画像データから生成されたものである。ＩＤ情報や顔画像情報は図示しない入力インタフェースを介して記憶部１１に記憶される。
【００１５】
Ｙ印刷部２２は、ＩＤカード１の表面２にイエロー印刷を施すものであり、Ｍ印刷部２３は、ＩＤカード１の表面２にマゼンタ印刷を施すものであり、Ｃ印刷部２４は、ＩＤカード１の表面２にシアン印刷を施すものである。
【００１６】
また、ＩＤカード作成プリンタは、Ｃ印刷部２４の下流側に、ＩＤカード１の表面２にクロ印刷を施して文字情報２ａを印字するＫ印刷部２５と、ＩＤカード１の表面２上に保護シートを設ける保護シート形成部２６と、ＩＤカード１のＩＣチップ１ａに文字情報２ａを書き込むリーダライタ２７とを備えている。
【００１７】
リーダライタ２７の下流側には、文字情報２ａ及び顔画像情報２ｂが印字され、かつＩＣチップ１ａ内に文字情報２ａが書き込まれたＩＤカード１を収納するスタッカ２８が設けられている。
【００１８】
ＩＤカード作成プリンタは、ＩＤカードの作成に伴う各部の動作を制御する制御部１２を備える。制御部１２は、記憶部１１からＩＤ情報や顔画像情報を取り出し、ＩＤカード１にＩＤ情報や顔画像情報が印字されるように、ホッパ２１、搬送ライン３１、Ｙ印刷部２２、Ｍ印刷部２３、Ｃ印刷部２４、Ｋ印刷部２５、保護シート形成部２６、及びリーダライタ２７を制御する。
【００１９】
ＩＤカード作成プリンタの各部には電源ユニット４１から電力が供給される。また、ＩＤカード作成プリンタは、無停電電源装置（UPS: Uninterruptible Power Supply）４２を備えており、停電時や電源ユニット４１に異常が発生した際に、ＩＤカード作成プリンタの各部に対して一定時間電力を供給し続ける。無停電電源装置４２は、ＩＤカード作成プリンタの内部に設けられていてもよいし、外部に設けられていてもよい。
【００２０】
次に、このようなＩＤカード作成プリンタによるＩＤカード作成処理について説明する。
【００２１】
まず、ＩＤカード１に対して印字しかつ書き込む必要のある個人のＩＤ情報や顔画像情報が記憶部１１へ送られる。
【００２２】
次に、印字及び書き込みがなされていないＩＤカード１がホッパ２１から搬送ライン３１へ送られ、ＩＤカード１は搬送ライン３１に沿って搬送される。
【００２３】
搬送ライン３１に沿ってＩＤカード１が搬送される際、このＩＤカード１の表面２に対してＹ印刷部２２、Ｍ印刷部２３、及びＣ印刷部２４によって、イエロー印刷、マゼンタ印刷、及びシアン印刷が施され、ＩＤカード１の表面２に顔画像情報２ｂが印字される。
【００２４】
次に、ＩＤカード１は搬送ライン３１によってＫ印刷部２５に送られ、このＫ印刷部２５においてＩＤカード１の表面２に文字情報２ａが印字される。
【００２５】
次に、ＩＤカード１は搬送ライン３１によって保護シート形成部２６に送られ、この保護シート形成部２６においてＩＤカード１の表面に保護シートが形成される。
【００２６】
次に、ＩＤカード１は搬送ライン３１によってリーダライタ２７に送られ、このリーダライタ２７においてＩＤカード１のＩＣチップ１ａに対して文字情報２ａが書き込まれる。リーダライタ２７は、ＩＣチップ１ａに対して顔画像情報２ｂをさらに書き込んでもよい。
【００２７】
その後、文字情報２ａ及び顔画像情報２ｂが印字され、かつＩＣチップ１ａ内に文字情報２ａが書き込まれたＩＤカード１は、搬送ライン３１によってスタッカ２８へ搬送され、収納される。
【００２８】
このＩＤカード作成プリンタでは複数のＩＤカードの作成処理が並行して進められる。複数のＩＤカードの作成処理の一例を図３に示す。
【００２９】
まず、ホッパ２１（図示せず）から繰り出された１枚目のＩＤカードが、Ｙ印刷部２２においてイエロー印刷される（時刻Ｔ１）。
【００３０】
１枚目のＩＤカードに対するイエロー印刷が終わり、１枚目のＩＤカードがＹ印刷部２２から搬出されると、２枚目のＩＤカードがホッパ２１から繰り出され、Ｙ印刷部２２に搬入される。１枚目のＩＤカードはＭ印刷部２３へ搬入される。そして、１枚目のＩＤカードがＭ印刷部２３においてマゼンタ印刷され、２枚目のＩＤカードがＹ印刷部２２においてイエロー印刷される（時刻Ｔ２）。
【００３１】
１枚目のＩＤカードに対するマゼンタ印刷が終わると、１枚目のＩＤカードはＭ印刷部２３から搬出されＣ印刷部２４へ搬入される。２枚目のＩＤカードに対するイエロー印刷が終わり、２枚目のＩＤカードがＹ印刷部２２から搬出されると、３枚目のＩＤカードがホッパ２１から繰り出され、Ｙ印刷部２２に搬入される。２枚目のＩＤカードは、１枚目のＩＤカードがＭ印刷部２３から搬出されると、Ｍ印刷部２３へ搬入される。そして、１枚目のＩＤカードがＣ印刷部２４においてシアン印刷され、２枚目のＩＤカードがＭ印刷部２３においてマゼンタ印刷され、３枚目のＩＤカードがＹ印刷部２２においてイエロー印刷される（時刻Ｔ３）。時刻Ｔ４以降も同様の処理が行われる。
【００３２】
このように、ホッパ２１から１枚ずつ繰り出されたＩＤカードが、Ｙ印刷部２２、Ｍ印刷部２３、Ｃ印刷部２４、Ｋ印刷部２５、保護シート形成部２６、リーダライタ２７の各処理部において順次処理されることで、複数のＩＤカードの作成処理が並行して進められる。
【００３３】
次に、ＩＤカード作成中に停電や電源ユニット４１の異常による電源エラーが発生した場合の処理について説明する。無停電電源装置４２は、停電に伴う電源断や、電源ユニット４１の電圧低下を検知すると、制御部１２に電源エラーの発生を通知するとともに、ＩＤカード作成プリンタの各部への電力供給を開始する。これにより、ＩＤカード作成プリンタは、電源エラーが発生しても、動作を継続することが可能となる。
【００３４】
制御部１２は、無停電電源装置４２から電源エラーの発生が通知されると、シャットダウン準備処理を行う。ここで、シャットダウン準備処理とは、各処理部（Ｙ印刷部２２、Ｍ印刷部２３、Ｃ印刷部２４、Ｋ印刷部２５、保護シート形成部２６、リーダライタ２７）において処理中のＩＤカードについて、各処理部での処理を完了させ、かつ次の処理部での処理には進まずに各処理部での処理を終えたところで待機させることをいう。
【００３５】
制御部１２は、シャットダウン準備処理を終えると、ＩＤカード作成プリンタのシャットダウン処理を行う。制御部１２は、シャットダウン処理の際に、待機中（未完成）のＩＤカードについての情報（未完成カード情報）を記憶部１１に格納する。この未完成カード情報は、待機中の各ＩＤカードの待機位置や、電源復帰（電源エラーの解除）後に行われる処理についての情報を含んでいる。制御部１２は、電源復帰（電源エラーの解除）後、記憶部１１内の未完成カード情報を参照し、待機中のＩＤカードを次の処理部へ搬送し、処理を再開する。ＩＤカードは、１つの処理部での処理を完了してから待機していたため、カードの印画異常の発生を防止できる。
【００３６】
図４を用いて、シャットダウン準備処理、及びシャットダウンからの復帰後の処理再開の一例について説明する。
【００３７】
例えば、図４（ａ）に示すように、リーダライタ２７においてＩＤカード１０１が処理され、保護シート形成部２６でＩＤカード１０２が処理され、Ｃ印刷部２４でＩＤカード１０３が処理され、Ｙ印刷部２２でＩＤカード１０４が処理されている時に電源エラーが発生した場合を考える。
【００３８】
このとき、ＩＤカード作成プリンタの各部には無停電電源装置４２から電力が供給され、制御部１２は、シャットダウン準備処理を行う。シャットダウン準備処理により、各処理部は、処理中のＩＤカードについての処理が完了するまで動作する。そのため、図４（ｂ）に示すように、ＩＤカード１０１は、リーダライタ２７での情報書き込みが行われ、リーダライタ２７から搬出されてスタッカ２８（図示せず）に収納される。
【００３９】
ＩＤカード１０２は、保護シート形成部２６において保護シートが形成されると、リーダライタ２７での書き込み処理には進まずに待機する。例えば、ＩＤカード１０２は、保護シート形成部２６から搬出され、保護シート形成部２６とリーダライタ２７との間の搬送ライン３１で待機する。ＩＤカード１０２は、保護シート形成部２６で待機していてもよいし、リーダライタ２７で待機していていもよい。
【００４０】
ＩＤカード１０３は、Ｃ印刷部２４においてシアン印刷が施されると、Ｋ印刷部２５でのクロ印刷処理には進まずに待機する。例えば、ＩＤカード１０３は、Ｃ印刷部２４から搬出され、Ｃ印刷部２４とＫ印刷部２５との間の搬送ライン３１で待機する。ＩＤカード１０３は、Ｃ印刷部２４で待機していてもよいし、Ｋ印刷部２５で待機していてもよい。
【００４１】
ＩＤカード１０４は、Ｙ印刷部２２においてイエロー印刷が施されると、Ｍ印刷部２３でのマゼンタ印刷処理には進まずに待機する。例えば、ＩＤカード１０４は、Ｙ印刷部２２から搬出され、Ｙ印刷部２２とＭ印刷部２３との間の搬送ライン３１で待機する。ＩＤカード１０４は、Ｙ印刷部２２で待機していてもよいし、Ｍ印刷部２３で待機していてもよい。
【００４２】
制御部１２は、図４（ｂ）に示すようにシャットダウン準備処理を終えると、ＩＤカード作成プリンタのシャットダウン処理を行う。このとき、制御部１２は、待機中（未完成）のＩＤカード１０２、１０３、１０４についての情報（未完成カード情報）を記憶部１１に格納する。ここでの未完成カード情報は、ＩＤカード１０２が保護シート形成まで終えており、処理再開後にリーダライタ２７での情報書き込みを行うこと、ＩＤカード１０３がシアン印刷まで終えており、処理再開後にクロ印刷を行うこと、ＩＤカード１０４がイエロー印刷まで終えており、処理再開後にマゼンタ印刷を行うことを示す。
【００４３】
そして、制御部１２は、電源復帰（電源エラーの解除）後、記憶部１１内の未完成カード情報を参照し、処理を再開する。具体的には、図４（ｃ）に示すように、ＩＤカード１０２に対してリーダライタ２７で情報書き込みを行い、ＩＤカード１０３に対してＫ印刷部２５でクロ印刷を施し、ＩＤカード１０４に対してＭ印刷部２３でマゼンタ印刷を行う。
【００４４】
ＩＤカード１０２、１０３、１０４は、電源エラー発生後、それぞれ、保護シート形成部２６、Ｃ印刷部２４、Ｙ印刷部２２での処理を完了してから待機していた。また、待機するまでに終えていた処理（又は再開後に行う処理）についての情報を記憶部１１に格納しておくことで、ＩＤカード作成処理を正しく再開・継続させることができるので、カードの印画異常の発生を防止し、カードロスを低減することができる。
【００４５】
このように、本実施形態によるＩＤカード作成プリンタによれば、停電や電源異常によるエラーが発生して処理が途中で停止したカードを、エラー解除後に正常に発行し、カードロスを低減させることができる。
【００４６】
また、電源エラー発生時に、処理途中の全てのＩＤカードを完成させる（リーダライタ２７での書き込み処理まで終える）まで動作を継続する場合と比較して、ＩＤカード作成プリンタを早期にシャットダウンできるため、無停電電源装置４２の電源容量を小さくでき、装置コストを削減できる。
【００４７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００４８】
１１  記憶部
１２  制御部
２１  ホッパ
２２  Ｙ印刷部
２３  Ｍ印刷部
２４  Ｃ印刷部
２５  Ｋ印刷部
２６  保護シート形成部
２７  リーダライタ
２８  スタッカ
３１  搬送ライン
４１  電源ユニット
４２  無停電電源装置
【図１】
2014069313.tif 000003
【図２】
2014069313.tif 000004
【図３】
2014069313.tif 000005
【図４】
2014069313.tif 000006